(57)【要約】【課題】簡単な構成で記録位置精度を高める。【解決手段】  本発明は、レンチキュラーレンズを有する記録媒体を搬送し、前記記録媒体に対して記録を行う記録装置において、第１凸部と、前記第１凸部とは異なる大きさの第２凸部とを備え、前記第１凸部及び前記第２凸部のうちの少なくとも一方に前記レンチキュラーレンズを接触させながら前記記録媒体を搬送することを特徴とする。【選択図】図３
2010228825.tif 000002
【特許請求の範囲】
【請求項１】
レンチキュラーレンズを有する記録媒体を搬送し、前記記録媒体に対して記録を行う記録装置において、
第１凸部と、前記第１凸部とは異なる大きさの第２凸部とを備え、
前記第１凸部及び前記第２凸部のうちの少なくとも一方に前記レンチキュラーレンズを接触させながら前記記録媒体を搬送する
ことを特徴とする記録装置。
【請求項２】
請求項１に記載の記録装置であって、
前記第１凸部は、前記第２凸部よりも高い形状をしており、
前記第２凸部は、前記第１凸部の間隔の整数倍の間隔で配置されている
ことを特徴とする記録装置。
【請求項３】
請求項２に記載の記録装置であって、
第１レンズピッチのレンチキュラーレンズを有する記録媒体を搬送するとき、前記第１凸部が前記記録媒体と接触するとともに、前記レンチキュラーレンズの凹部に前記第２凸部が位置し、
前記第１レンズピッチよりも短い第２レンズピッチのレンチキュラーレンズを有する記録媒体を搬送するとき、前記第２凸部が前記記録媒体と接触するとともに、前記第１凸部は前記記録媒体に接触しない
ことを特徴とする記録装置。
【請求項４】
請求項１〜３のいずれかに記載の記録装置であって、
前記記録媒体の前記レンチキュラーレンズのレンズピッチに応じて、前記記録媒体の搬送位置が異なることを特徴とする記録装置。
【請求項５】
請求項１〜３のいずれかに記載の記録装置であって、
前記記録媒体の前記レンチキュラーレンズのレンズピッチに応じて、前記第１凸部及び前記第２凸部の位置が異なることを特徴とする記録装置。
【請求項６】
請求項１〜５のいずれかに記載の記録装置であって、
前記第１凸部又は前記第２凸部に前記記録媒体を押圧する押圧部材を更に有することを特徴とする記録装置。
【請求項７】
第１凸部及び前記第１凸部とは異なる大きさの第２凸部のうちの少なくとも一方に、レンチキュラーレンズを有する記録媒体の前記レンチキュラーレンズを接触させること、及び、
前記第１凸部及び前記第２凸部のうちの少なくとも一方と前記レンチキュラーレンズとを接触させながら、前記記録媒体を搬送すること
を有することを特徴とする搬送方法。
【発明の詳細な説明】
【技術分野】
【０００１】
本発明は、記録装置及び搬送方法に関する。
【背景技術】
【０００２】
レンチキュラーレンズの背面に画像を配置することによって、立体画像あるいは見る角度に応じて絵柄が変化する画像が得られることが知られている。このような画像を得る際に、レンチキュラーレンズの背面に画像を貼り合わせても良いが、レンチキュラーレンズの背面に画像を直接記録することも行われている。
【０００３】
レンチキュラーレンズの背面の画像（レンチキュラー画像）は、レンチキュラーレンズのレンズ配列に精度良く合わせる必要がある。このため、レンチキュラーレンズの背面に画像を記録する場合にも、レンチキュラーレンズと画像とを精度良く位置合わせする必要がある。
【０００４】
特許文献１では、センサーを用いてレンチキュラーレンズの位置を検出し、この検出結果に基づいて所定の位置に記録を行う技術が開示されている。また、特許文献２には、搬送用トレイに載置された記録媒体がトレイ上で位置ずれしない対策を施し、記録位置の精度を高める技術が開示されている。
【先行技術文献】
【特許文献】
【０００５】
【特許文献１】特許第３４７１９３０号公報
【特許文献２】特開２００７−１３０７６９号公報
【発明の概要】
【発明が解決しようとする課題】
【０００６】
特許文献１では、レンチキュラーレンズの位置を検出するためのセンサーが必要になるため、装置のコストが高くなる。また、特許文献２では、搬送トレイに対する記録媒体の位置ずれを抑制できても、搬送トレイが搬送方向に対して傾斜した状態で搬送されてしまうと、記録媒体への画像記録位置の精度が低下する。  
本発明は、簡単な構成で記録位置精度を高めることを目的とする。
【課題を解決するための手段】
【０００７】
上記目的を達成するための主たる発明は、レンチキュラーレンズを有する記録媒体を搬送し、前記記録媒体に対して記録を行う記録装置において、第１凸部と、前記第１凸部とは異なる大きさの第２凸部とを備え、前記第１凸部及び前記第２凸部のうちの少なくとも一方に前記レンチキュラーレンズを接触させながら前記記録媒体を搬送することを特徴とする記録装置である。
【０００８】
本発明の他の特徴については、本明細書及び添付図面の記載により明らかにする。
【図面の簡単な説明】
【０００９】
【図１】図１Ａは、レンズシートの拡大断面図である。図１Ｂは、レンズシートをレンチキュラーレンズ側から見た図である。図１Ｃは、別のレンズシートの説明図である。
【図２】記録装置の概略構成を説明するためのブロック図である。
【図３】記録装置を後方から見た斜視図である。
【図４】第１ガイドローラーとレンズシートＬとの接触部分の拡大断面図である。
【図５】図５Ａは、図３のガイドローラーの配置の概略説明図である。図５Ｂは、第１変形例の第１ガイドローラーの配置の説明図である。図５Ｃは、第２変形例の第１ガイドローラーの配置の説明図である。図５Ｄは、第３変形例の第1ガイドローラーの配置の説明図である。
【図６】図６Ａは、図３の第１ガイドローラーの係合部の断面形状の説明図である。図６Ｂは、第１変形例の係合部の断面形状の説明図である。図６Ｃは、第２変形例の係合部の断面形状の説明図である。図６Ｄは、第３変形例の係合部の断面形状の説明図である。図６Ｅは、第４変形例の係合部の断面形状の説明図である。
【図７】図７Ａは、図３の第１ガイドローラーを上から見たときの係合部１２の谷の線の方向の概略説明図である。図７Ｂは、第１変形例の係合部１２を上から見たときの谷の線の方向の概略説明図である。図７Ｃは、第２変形例の係合部１２を上から見たときの谷の線の方向の概略説明図である。図７Ｄは、第３変形例の係合部１２を上から見たときの拡大説明図である。
【図８】図８Ａは、凸部の個数の第１変形例の説明図である。図８Ｂは、凸部の個数の第２変形例の説明図である。図８Ｃは、凸部の個数の第３変形例の説明図である。図８Ｄは、凸部の個数の第４変形例の説明図である。
【図９】図９Ａは、第１ガイドローラーを搬送方向から見た図である。図９Ｂは、レンズシートの搬送位置の概略説明図である。図９Ｃは、普通紙の搬送位置の概略説明図である。
【図１０】図１０Ａは、第１形態の第１ガイドローラーを搬送方向から見た図である。図１０Ｂは、３０ｌｐｉのレンズシートＬを搬送する様子の概略説明図である。図１０Ｃは、６０ｌｐｉのレンズシートＬを搬送する様子の概略説明図である。
【図１１】図１１Ａは、第２形態の第１ガイドローラー３１を搬送方向から見た図である。図１１Ｂは、３０ｌｐｉのレンズシートＬを搬送する様子の概略説明図である。図１１Ｃは、６０ｌｐｉのレンズシートＬを搬送する様子の概略説明図である。
【図１２】図１２Ａは、第３形態の第１ガイドローラー３１の説明図である。図１２Ｂは、位置決め機構付近の断面図である。図１２Ｃは、３０ｌｐｉのレンズシートＬを搬送する様子の概略説明図である。図１２Ｄは、６０ｌｐｉのレンズシートＬを搬送する様子の概略説明図である。図１２Ｅは、紙を搬送する様子の概略説明図である。
【図１３】図１３Ａは、押圧ローラーの表面に凸部を設けた変形例の説明図である。図１３Ｂは、押圧ローラーの表面に凸部を設けた別の変形例の説明図である。
【図１４】検査用画像の説明図である。
【図１５】レンチキュラーレンズの側から見た検査用画像の説明図である。
【図１６】別の実施形態の記録装置を後方から見た斜視図である。
【図１７】図１７Ａは、３０ｌｐｉのレンズシートＬ３を搬送する様子を上から見た図である。図１７Ｂは、６０ｌｐｉのレンズシートＬ６を搬送する様子を上から見た図である。
【図１８】図１８Ａは、第１変形例の給紙台３を搬送方向下流側から見た図である。図１８Ｂは、３０ｌｐｉのレンズシートＬを搬送する様子の概略説明図である。図１８Ｃは、６０ｌｐｉのレンズシートＬを搬送する様子の概略説明図である。
【図１９】図１９Ａは、レンズシートが給紙台３に対して斜めに載置された様子を上から見た図である。図１９Ｂは、図１９ＡのＡ−Ａ断面図である。図１９Ｃは、図１９ＡのＢ−Ｂ断面図である。
【発明を実施するための形態】
【００１０】
本明細書及び添付図面の記載により、少なくとも、以下の事項が明らかとなる。
【００１１】
レンチキュラーレンズを有する記録媒体を搬送し、前記記録媒体に対して記録を行う記録装置において、第１凸部と、前記第１凸部とは異なる大きさの第２凸部とを備え、前記第１凸部及び前記第２凸部のうちの少なくとも一方に前記レンチキュラーレンズを接触させながら前記記録媒体を搬送することを特徴とする記録装置が明らかとなる。このような記録装置によれば、簡単な構成で記録位置精度を高めることができる。
【００１２】
前記第１凸部は、前記第２凸部よりも高い形状をしており、前記第２凸部は、前記第１凸部の間隔の整数倍の間隔で配置されていることが望ましい。これにより、第１レンズピッチの記録媒体を搬送するときに、レンズの山が第２凸部に接触しなくて済む。
【００１３】
第１レンズピッチのレンチキュラーレンズを有する記録媒体を搬送するとき、前記第１凸部が前記記録媒体と接触するとともに、前記レンチキュラーレンズの凹部に前記第２凸部が位置し、前記第１レンズピッチよりも短い第２レンズピッチのレンチキュラーレンズを有する記録媒体を搬送するとき、前記第２凸部が前記記録媒体と接触するとともに、前記第１凸部は前記記録媒体に接触しないことが望ましい。これにより、異なるレンズピッチの記録媒体を搬送できる。
【００１４】
前記記録媒体の前記レンチキュラーレンズのレンズピッチに応じて、前記記録媒体の搬送位置が異なることが望ましい。若しくは、前記記録媒体の前記レンチキュラーレンズのレンズピッチに応じて、前記第１凸部及び前記第２凸部の位置が異なることが望ましい。これにより、異なるレンズピッチの記録媒体を搬送できる。
【００１５】
前記第１凸部又は前記第２凸部に前記記録媒体を押圧する押圧部材を更に有することが望ましい。これにより、凸部による記録媒体の移動の制限を強固にできる。
【００１６】
第１凸部及び前記第１凸部とは異なる大きさの第２凸部のうちの少なくとも一方に、レンチキュラーレンズを有する記録媒体の前記レンチキュラーレンズを接触させること、及び、前記第１凸部及び前記第２凸部のうちの少なくとも一方と前記レンチキュラーレンズとを接触させながら、前記記録媒体を搬送することを有することを特徴とする搬送方法が明らかとなる。このような搬送方法によれば、簡単な構成で記録位置精度を高めることができる。
【００１７】
＝＝＝レンズシート＝＝＝
まず、レンチキュラーレンズを有する記録媒体であるレンズシートについて説明する。  
図１Ａは、レンズシートの拡大断面図である。図１Ｂは、レンズシートをレンチキュラーレンズ側から見た図である。図１Ｃは、別のレンズシートの説明図である。
【００１８】
レンズシートＬは、レンチキュラーレンズ７と、画像形成層８とを有する。  
レンチキュラーレンズ７は、多数のシリンドリカルレンズ１３をシート面方向に配列した樹脂製の光学部材（シリンドリカルレンズアレイ）である。以下の説明では、シリンドリカルレンズ１３の母線方向を「ｘ方向」とし、シリンドリカルレンズ１３の並ぶ方向を「ｙ方向」とする（ｘ、ｙは小文字）。また、各シリンドリカルレンズ１３の最も突出している部分（ピーク）を「山」と呼び、シリンドリカルレンズ間の凹部分を「谷」と呼び、山の連なる線を「稜線」と呼び、稜線と平行な方向を「母線方向」と呼ぶことがある。
【００１９】
画像形成層８は、インク透過層８Ａと、インク吸収層８Ｂとを有する。インク透過層８Ａは、レンズシートＬの外側に位置し、インク吸収層８Ｂは、インク透過層８Ａとレンチキュラーレンズ７との間に位置する。レンズシートＬの画像形成層８の側からインクジェット記録方式で画像を記録すると、インクがインク透過層８Ａを透過してインク吸収層８Ｂに吸収され、レンチキュラーレンズ７越しに画像を視認できる。
【００２０】
なお、レンズシートＬの画像形成層８は無くても良い。例えば、紫外線硬化インクを用いれば、インク透過層８Ａやインク吸収層８Ｂなどが無くても、レンチキュラーレンズ７の背面に直接画像を記録することができる。
【００２１】
以下に説明する本実施形態の記録装置は、レンチキュラーレンズ７の形状を利用して、レンズシートＬを搬送する。具体的には、ガイドローラー（後述）に凸部を形成しておき、この凸部にシリンドリカルレンズ間の谷間が係合（接触）しながらレンズシートＬを搬送する。
【００２２】
これにより、記録装置の記録位置（ヘッドがインクを吐出して画像を形成する位置）において、レンチキュラーレンズ７の各シリンドリカルレンズ１３が所定位置に位置決めされた状態になる。この結果、レンチキュラーレンズ７のレンズ配列に合わせて、精度良く画像を記録できる。
【００２３】
なお、図１Ｂでは、レンズシートＬの辺の方向は、ｘ方向やｙ方向と一致している。但し、図１Ｃのように、レンズシートＬの種類により、若しくはレンズシートＬの製造精度により、レンズシートＬの辺の方向は、ｘ方向やｙ方向と一致しないことがある。本実施形態の記録装置は、図１ＣのようなレンズシートＬに対しても、レンチキュラーレンズ７のレンズ配列に合わせて、精度良く画像を記録できる。
【００２４】
また、図１Ｂのような場合においても、レンズシートＬの辺にシリンドリカルレンズ１３の山が位置することもあるし、谷が位置することもある。本実施形態の記録装置によれば、レンズシートＬの辺にシリンドリカルレンズ１３の山が位置するか谷が位置するかに関わらず、レンチキュラーレンズ７の各シリンドリカルレンズ１３が所定位置に位置決めされた状態になる。
【００２５】
＝＝＝参考例＝＝＝
本実施形態の記録装置について説明をする前に、参考例の記録装置について説明する。以下に説明する参考例では、第１ガイドローラー３１の表面に同じ大きさの凸部１４が形成されている。これに対し、後述する本実施形態の記録装置では、第１ガイドローラー３１に大きさの異なる２種類の凸部（第１凸部及び第２凸部）が形成されている点が参考例と異なる。また、以下の参考例で説明される変形例は、本実施形態の記録装置にも適用可能である。
【００２６】
＜記録装置の概要＞
図２は、記録装置の概略構成を説明するためのブロック図である。図３は、記録装置を後方から見た斜視図である。なお、図３において、記録装置１００の搬送方向をＸ方向とし、ヘッドの主走査方向をＹ方向とし、鉛直方向をＺ方向とする（Ｘ、Ｙ、Ｚは大文字）。後述するように、Ｘ方向（記録装置１００の搬送方向）とｘ方向（レンズシートＬのレンズの母線方向）は、一致することになる。
【００２７】
外部装置であるコンピューター１１０は、記録装置１００に記録させるための画像を生成し、記録用データを記録装置１００に送信する。レンズシートＬに記録を行う場合には、コンピューター１１０は、ユーザーの指定した複数の画像をレンズピッチ等に応じて加工・合成することによって記録用の画像を生成し、その画像を記録させるための記録用データを記録装置１００に送信する。なお、記録用データを生成する機能を記録装置１００が備えていても良い。  
記録装置１００は、コンピューター１１０から受信した記録用データに基づいて、媒体に記録を行う。レンズシートＬに記録を行う場合には、レンズピッチに応じて生成された記録用データに基づいて、レンズシートＬの背面に画像を記録する。
【００２８】
記録装置１００は、筐体２と、給紙台３と、搬送ローラー４及び排紙ローラー５と、ヘッド６と、第１ガイドローラー３１及び第２ガイドローラー３２とを有する。筐体２は、記録装置１００の外装体である。給紙台３は、レンズシートＬを記録装置１００に供給する際にレンズシートＬを支持するものである。搬送ローラー４及び排紙ローラー５は、給紙台３に載置されたレンズシートＬを搬送方向に搬送する。第１ガイドローラー３１及び第２ガイドローラー３２は、レンズシートＬの所定方向の移動を制限しつつ、レンズシートＬを搬送方向に搬送する。ヘッド６は、レンズシートＬに対して記録を行う。
【００２９】
筐体２には、給紙開口部９と、排紙開口部１０とが設けられている。給紙開口部９から供給されたレンズシートＬは、搬送ローラー４及び排紙ローラー５によって搬送方向に搬送されると共に、ヘッド６によって記録が行われ、排紙開口部１０から記録装置１００の外部に排出される。
【００３０】
給紙台３は、全体として矩形の板状体を呈している。給紙台３は、搬送方向に関して、給紙開口部９よりも突出した位置から、搬送ローラーの手前の位置までに及ぶ長さがある。また、Ｙ方向（若しくはレンズシートＬの幅方向）に関して、レンズシートＬの全幅を支持できるだけの幅がある。
【００３１】
給紙ローラー２４は、給紙台３に載置されたレンズシートＬを記録装置１００の中に供給する。給紙ローラー２４は、不図示の給紙モーターによって回転駆動される。レンズシートＬは、給紙ローラー２４による給紙によって、搬送ローラー４と第１ガイドローラー３１の間に導かれる。
【００３２】
ヘッド６の前後には、搬送ローラー４と排紙ローラー５が配置されている。搬送ローラー４と排紙ローラー５が配置されている。搬送ローラー４は、給紙開口部９から供給されたレンズシートＬを記録位置（ヘッド６が記録を行う位置）に搬送するためのローラーである。排紙ローラー５は、記録位置で記録されたレンズシートＬを排紙開口部１０へ排出するためのローラーである。搬送ローラー４は搬送用モーター１６によって回転駆動され、排紙ローラー５は排紙用モーター１７によって回転駆動される。
【００３３】
第１ガイドローラー３１は、搬送ローラー４と対向して設けられている。第１ガイドローラー３１と搬送ローラー４とによってレンズシートＬを挟み込んだ状態で搬送ローラー４が回転駆動されることによって、第１ガイドローラー３１は従動回転し、レンズシートＬを搬送方向に搬送する。第１ガイドローラー３１の構成については、後述する。
【００３４】
第２ガイドローラー３２は、排紙ローラーと対向して設けられている。第２ガイドローラー３２と排紙ローラー５とによってレンズシートＬを挟み込んだ状態で排紙ローラー５が回転駆動されることによって、第２ガイドローラー３２は従動回転し、レンズシートＬを搬送方向に排紙する。第２ガイドローラー３２の形状は、第１ガイドローラー３１と同様である。
【００３５】
ヘッド６は、インクを吐出するインクジェット型の記録ヘッドであり、キャリッジ１８の下面に取り付けられている。ヘッド６と対向する位置には、レンズシートＬを支持するためのプラテン２３が設けられている。搬送ローラー４によって記録位置まで搬送されたレンズシートＬは、記録位置においてプラテン２３によって支持される。
【００３６】
キャリッジ１８は、Ｙ方向に沿って設けられたキャリッジガイド１９によってＹ方向に移動可能に支持され、キャリッジ用モーター２０により駆動されるタイミングベルト２１に取り付けられている。このため、キャリッジ用モーター２０によりタイミングベルト２１が回転駆動すると、キャリッジ１８と共にヘッド６がＹ方向に往復移動することができる。
【００３７】
コントローラーは、搬送用モーター１６や排紙用ローラー１７を制御することによって、レンズシートＬの搬送方向への搬送を制御する。また、コントローラーは、キャリッジ用モーター２０を制御することによって、ヘッド６の移動を制御する。また、コントローラーは、ヘッド６からのインクの吐出を制御する。これにより、コントローラーは、レンズシートＬの所望の位置に画像を記録することができる。なお、レンズシートＬに画像を記録するときには、画像形成層８の側がヘッド６に対向し、レンチキュラーレンズ７の側が給紙台３と接触するように、レンズシートＬを給紙台３に載置する。これにより、ヘッド６は画像形成層８に対して記録を行い、レンチキュラーレンズ７の側から画像形成層８に記録された画像を視認することができる記録物が作成される。
【００３８】
＜ガイドローラーの構成＞
図４は、第１ガイドローラーとレンズシートＬとの接触部分の拡大断面図である。レンズシートＬは第１ガイドローラー３１と搬送ローラー４との間に挟まれているため、本来であればレンズシートＬの上に搬送ローラー４が位置するが、説明の簡略化のため搬送ローラー４の図示を省略している。
【００３９】
第１ガイドローラー３１は、主軸１１と、主軸１１の円筒表面に形成された係合部１２とを備えている。係合部１２の断面形状は、レンチキュラーレンズ７とほぼ同じ断面形状である。すなわち、シリンドリカルレンズ７とほぼ同じ断面形状の凸部１４が、レンズピッチと同じピッチで並んでいる。それぞれの凸部１４は、主軸１１の円周方向に沿って形成されている。以下の説明では、係合部１２の凸部１４の最も突出している部分を「山」と呼び、凸部１４の間の凹部分を「谷」と呼ぶことがある。
【００４０】
第１ガイドローラー３１は、上から見たときに谷の線が記録装置１００の搬送方向（Ｘ方向）と一致するように位置調整されて、記録装置１００に取り付けられている。また、第２ガイドローラー３２の凸部は、レンズシートＬの幅よりも広い幅に亘って並設されている。なお、係合部１２は、主軸１１と別部材でも良いし、主軸１１と一体成形しても良い。
【００４１】
係合部１２の断面形状がレンチキュラーレンズ７の断面形状と同じであるため、レンチキュラーレンズ７の側を下にしてレンズシートＬを第１ガイドローラー３１で搬送するときに、レンチキュラーレンズ７のシリンドリカルレンズ１３と第１ガイドローラー３１の凸部１４とが噛み合い、第１ガイドローラー３１の凸部１４がシリンドリカルレンズ１３の山と山の間に位置し、シリンドリカルレンズ１３の山が第１ガイドローラー３１の凸部１４と凸部１４の間に位置する。この結果、レンズシートＬは、第１ガイドローラー３１に対してＹ方向の動きが制限され、Ｙ方向に位置決めされる。一方、レンズシートＬの搬送方向（図４の紙面垂直方向、Ｘ方向）への移動の制約はないため、また、第１ガイドローラー３１が搬送ローラー４の回転と共に従動回転するため、レンズシートＬは、搬送方向に沿って移動可能である。これにより、第１ガイドローラー３１は、レンズシートＬを、Ｙ方向への移動を拘束したまま、搬送方向に案内できる。
【００４２】
第２ガイドローラー３２も第１ガイドローラー３１と同様の構成である。ここでは、第２ガイドローラー３２の構成の説明を省略する。第２ガイドローラー３２も、第１ガイドローラー３１と同様に、レンズシートＬを、Ｙ方向への移動を拘束したまま、搬送方向に案内できる。第２ガイドローラー３２がヘッド６よりも搬送方向下流側に設けられているため、レンズシートＬの後端が搬送ローラー４を通過した後も、レンズシートＬは、Ｙ方向への移動を拘束したまま、搬送方向に案内される。
【００４３】
＜ガイドローラーの配置＞
図５Ａは、図３のガイドローラーの配置の概略説明図である。前述のガイドローラーは、搬送ローラー４と対向する位置に設けられていた。但し、ガイドローラーの配置は、この位置に限られるものではない。以下、ガイドローラーの配置の変形例を説明する。
【００４４】
図５Ｂは、第１変形例の第１ガイドローラーの配置の説明図である。第１変形例では、第１ガイドローラー３１を搬送用モーターで回転駆動することによって、第１ガイドローラー３１と搬送ローラーとを兼用するものである。なお、第１ガイドローラー３１の上方には、第１ガイドローラー３１の回転と共に従動回転する従動ローラーが設けられている。第１変形例のように第１ガイドローラー３１がモーターによって回転駆動されていれば、レンズシートＬの上端が第１ガイドローラー３１と従動ローラーとの間に突入する際に、レンズシートＬの谷が第１ガイドローラー３１の山に導かれやすくなり、シートが詰まりにくくなる。
【００４５】
図５Ｃは、第２変形例の第１ガイドローラーの配置の説明図である。第２変形例では、第１ガイドローラー３１と搬送ローラー４とを別々の位置に設けている。第１ガイドローラー３１と対向して従動ローラーが設けられており、搬送ローラー４と対向して別の従動ローラーが設けられている。第１ガイドローラー３１及びその従動ローラーは、給紙ローラー２４や搬送ローラー４によって搬送されるレンズシートＬのＹ方向の移動を拘束しつつ搬送方向に案内しながら、レンズシートＬの搬送に伴って従動回転する。このような構成であっても、第１ガイドローラー３１は、レンズシートＬを、Ｙ方向への移動を拘束したまま、搬送方向に案内できる。但し、図５Ｂの場合と比較すると、図５Ｃの構成は装置が大型化する。
【００４６】
図５Ｄは、第３変形例の第１ガイドローラーの配置の説明図である。第３変形例では、第２変形例のように第１ガイドローラー３１が搬送ローラー４よりも搬送方向上流側に配置されるのではなく、第１ガイドローラー３１が搬送ローラー４よりも搬送方向下流側に配置されている。
【００４７】
なお、図５Ｄの構成によれば、図５Ｃの構成と比較して、記録位置に近いところでガイドローラーがレンズシートＬを案内するので、記録位置にレンズシートＬを精度良く位置決めできる。一方、図５Ｃの構成によれば、搬送用モーター１６によって回転駆動される搬送ローラーを記録位置の近くに設けられるので、装置を小型化できる。
【００４８】
＜係合部の形状について（１）＞
図６Ａは、図３の第１ガイドローラーの係合部の断面形状の説明図である。前述の第１ガイドローラー３１の係合部の断面形状は、レンチキュラーレンズ７の断面形状とほぼ同一形状であった。  
但し、第１ガイドローラー３１の係合部１２は、このような形状に限られるものではない。以下、第１ガイドローラー３１の係合部１２の変形例について説明する。なお、以下のいずれの係合部１２も、上から見たときに、凸部１４の間の谷（又は山）が搬送方向になっている。
【００４９】
図６Ｂは、第１変形例の係合部の断面形状の説明図である。第１変形例の係合部１２の断面形状は、レンチキュラーレンズ７の反対形状である。言い換えると、第１変形例の係合部１２の凸部１４は、レンチキュラーレンズ７の凹部に合う形状になっている。このため、図６Ａでは凸部１４の断面の曲率中心は係合部１２の内側（下側）にあったが、第１変形例の係合部１２の凸部１４の断面の曲率中心は、係合部１２の外側（上側）にある。このような第１変形例の係合部１２であれば、レンズシートＬのＹ方向の拘束を強固にできる。
【００５０】
図６Ｃは、第２変形例の係合部の断面形状の説明図である。第２変形例の係合部１２の凸部１４の断面は三角形状である。このような形状であっても、レンズシートＬをＹ方向に拘束できる。
【００５１】
図６Ｄは、第３変形例の係合部の断面形状の説明図である。第３変形例の係合部１２は、図６Ａ〜図６Ｃと比較すると、凸部１４の間隔が２倍になっている。このように、凸部１４の間隔をレンズピッチｐの整数倍にしても、レンズシートＬが第１ガイドローラー３１に案内されるときに凸部１４がシリンドリカルレンズ１３の谷に位置するので、レンズシートＬは、第１ガイドローラー３１に対してＹ方向の動きが制限され、Ｙ方向に位置決めされる。
【００５２】
図６Ｅは、第４変形例の係合部の断面形状の説明図である。第３変形例の係合部１２は、凸部１４の断面が矩形状である。このような形状であっても、レンズシートＬをＹ方向に拘束できる。但し、図６Ａ〜図６Ｄの係合部１２の方が、図６Ｅの係合部１２よりも、レンズとの間に隙間が生じにくいので、位置決め精度が高い。
【００５３】
＜係合部の形状について（２）＞
図７Ａは、図３の第１ガイドローラーを上から見たときの係合部１２の谷の線の方向の概略説明図である。（なお、実際には、線の間隔はレンズピッチと同じ間隔又はその整数倍であるが、ここでは説明のため、線の間隔は実際のものとは異なっている。）既に説明したとおり、係合部１２の凸部１４は主軸１１の円周方向に沿って形成されており、上から見たときの谷の線の方向（又は凸部１４の方向）は、搬送方向（Ｘ方向）になっている。
【００５４】
図７Ｂは、第１変形例の係合部１２を上から見たときの谷の線の方向の概略説明図である。第１変形例では、係合部１２の凸部１４がＹ方向に沿って形成されており、谷の線がＹ方向になっている。この第１変形例では、ラック・ピニオン機構のようにしてレンズシートＬを搬送する。すなわち、第１変形例では、第１ガイドローラー３１の形状をラック・ピニオン機構のピニオン（円形歯車）に見立て、レンズシートＬのレンチキュラーレンズの形状をラック・ピニオン機構のラックに見立てて、レンズシートＬの母線方向（図１Ｂのｘ方向）が記録装置のＹ方向（ヘッドの主走査方向）になるようにレンズシートＬを搬送する。なお、既に説明したように、第１ガイドローラー３１は、モーターによって回転駆動しても良いし、従動回転しても良い。  
このような第１変形例の第１ガイドローラー３１によれば、レンズシートＬの母線方向がＹ方向からずれないようにしながら、レンズシートＬを搬送できる。また、仮にレンズシートＬの母線方向がＹ方向に対して斜めになっても、第１変形例のガイドローラーを用いてレンズシートＬを搬送すれば、係合部１２の凸部１４がレンズシートＬの谷に係合するようになるので、レンズシートＬの斜行が修正される。
【００５５】
図７Ｃは、第２変形例の係合部１２を上から見たときの谷の線の方向の概略説明図である。第２変形例の係合部１２には、ガイドローラーの円筒表面上に螺旋状に凸部が形成されている。レンズシートＬの種類によっては、矩形のレンズシートＬに対してシリンドリカルレンズの母線方向が例えば４５度で傾斜しているものがある。このようなレンズシートＬの母線方向を搬送方向（Ｘ方向）に対して４５度で傾斜させたまま搬送する際に、第２変形例のガイドローラーを用いると良い。
【００５６】
図７Ｄは、第３変形例の係合部１２を上から見たときの拡大説明図である。第３変形例の係合部１２には、複数の突起３４が円周方向に形成されると共に、円周方向に形成された複数の突起３４がレンズピッチｐと同じ間隔でＹ方向に並んでいる。このような係合部１２を有する第１ガイドローラー３１であれば、図７Ａの第１ガイドローラー３１のようにレンズシートＬの母線方向をＸ方向にしてレンズシートＬを搬送することもできるし、図７Ｂの第１ガイドローラー３１のようにレンズシートＬの母線方向をＹ方向にしてレンズシートＬを搬送することもできる。
【００５７】
＜凸部の個数について＞
前述の第１ガイドローラー３１には、多数の凸部１４がレンチキュラーレンズ７のレンズピッチと同じピッチでＹ方向に連続して設けられていた。しかし、第１ガイドローラー３１の凸部は、このような形状でなくても良い。
【００５８】
図８Ａは、凸部の個数の第１変形例の説明図である。このように、凸部１４が単数であっても、凸部１４が第１ガイドローラー３１の円周方向に沿って形成され、上から見たときに凸部が搬送方向に沿っていれば、第１ガイドローラー３１は、レンズシートＬをＹ方向に拘束しつつ搬送方向に搬送できる。  
図８Ｂは、凸部の個数の第２変形例の説明図である。このように、複数の凸部１４が、レンチキュラーレンズ７のレンズピッチｐと同じ間隔で並んでいても良い。  
図８Ｃは、凸部の個数の第３変形例の説明図である。このように、複数の凸部１４が、レンチキュラーレンズ７のレンズピッチｐの整数倍の間隔で並んでいても良い。  
図８Ｄは、凸部の個数の第４変形例の説明図である。第１ガイドローラー３１に複数の凸部１４が設けられる場合、必ずしも等間隔である必要はなく、凸部１４同士の間隔が、レンチキュラーレンズ７のレンズピッチｐ若しくはその整数倍であればよい。
【００５９】
なお、図８Ａ〜図８Ｄでは、凸部１４の断面形状をレンチキュラーレンズ７のシリンドリカルレンズの断面形状と同じにしているが、既に説明したような別の形状であっても良い。ここでは、その説明を省略する。
【００６０】
＜凸部の形成位置＞
記録装置１００は、レンズシートＬに記録を行うだけでなく、紙に記録できても良い。このような記録装置１００において第１ガイドローラー３１上の紙に押圧力が作用すると、紙に凸部１４の形状が残るおそれがある。特に、第１ガイドローラー３１の一部だけに凸部１４が形成されている場合（例えば、図８Ａのような第１ガイドローラー３１の場合）、紙に押圧力が作用すると、紙に集中荷重がかかり、紙に凸部１４の形状が残ってしまうおそれがある。
【００６１】
そこで、レンズシートＬに記録するときのレンズシートＬのＹ方向の位置と、紙に記録するときの紙のＹ方向の位置とを変えても良い。  
図９Ａは、第１ガイドローラーを搬送方向から見た図である。図９Ｂは、レンズシートの搬送位置の概略説明図である。図９Ｃは、普通紙の搬送位置の概略説明図である。なお、図中のレンズシートＬ及び凸部１４の形状や凸部１４の間隔等は実際とは異なっているが、これは説明を容易にするためである。  
図のようにレンズシートＬに記録するときのレンズシートＬのＹ方向の位置と、紙Ｓに記録するときの紙のＹ方向の位置とを変えれば、紙Ｓに凸部１４の形状が残らずに済む。言い換えると、レンズシートＬが通過する位置であって、紙Ｓが通過しない位置に、第１ガイドローラー３１の凸部１４が形成されると良い。
【００６２】
なお、レンズシートＬや紙Ｓの搬送時のＹ方向の位置を変更するため、搬送機構に搬送位置切り替え機構を設けても良い。若しくは、レンズシートＬや紙Ｓを給紙トレイに収容する際に、給紙トレイ内での媒体（レンズシートＬや紙Ｓ）のＹ方向の収容位置をそれぞれ変えられるように給紙トレイが構成されており、搬送機構は、給紙トレイから媒体をそのまま搬送方向に搬送するだけであっても良い。
【００６３】
＝＝＝本実施形態＝＝＝
前述の参考例では、レンズシートＬのレンチキュラーレンズ７のレンズ配列は１種類（例えば３０ｌｐｉのレンズピッチ）であることを想定していた。但し、記録可能なレンズシートＬの種類は多い方が望ましい。以下の説明では、３０ｌｐｉのレンズシートと６０ｌｐｉのレンズシートの両方を記録可能な記録装置に用いられる第１ガイドローラー３１について説明する。
【００６４】
＜第１形態＞
図１０Ａは、第１形態の第１ガイドローラーを搬送方向から見た図である。図１０Ｂは、３０ｌｐｉのレンズシートＬを搬送する様子の概略説明図である。図１０Ｃは、６０ｌｐｉのレンズシートＬを搬送する様子の概略説明図である。
【００６５】
第１ガイドローラー３１のＹ方向の一端側（図中の右側）には、３０ｌｐｉのレンチキュラーレンズ７の形状に合う第１凸部１４Ａが設けられている。一方、他端側（図中の左側）には、６０ｌｐｉのレンチキュラーレンズ７の形状に合う第２凸部１４Ｂが設けられている。
【００６６】
３０ｌｐｉのレンチキュラーレンズのシリンドリカルレンズ間の凹部は、６０ｌｐｉのレンチキュラーレンズのシリンドリカルレンズ間の凹部よりも深い。このため、第１凸部１４Ａは、第２凸部１４Ｂよりも高い山になっている。
【００６７】
図中右側の第１凸部１４Ａの数は、左側の第２凸部１４Ｂの数よりも少なくなっている。これは、３０ｌｐｉのレンチキュラーレンズの凹部が深く、また、第１凸部１４Ａが高く形成されているため、３０ｌｐｉのレンチキュラーレンズと第１凸部１４Ａとが係合したときに、６０ｌｐｉのものと比べて、Ｙ方向の移動に対する拘束力が大きいからである。これにより、第１ガイドローラー３１上に第１凸部１４Ａを形成する範囲を狭くできる。なお、第２凸部１４Ｂの数が多くなっても、Ｙ方向の間隔が狭いので、第１ガイドローラー３１上に第１凸部１４Ａを形成する範囲はそれほど広くならない。
【００６８】
３０ｌｐｉのレンチキュラーレンズ７を有するレンズシートＬ３を搬送する場合、レンズシートＬ３を図中の右側に寄せて搬送する（図１０Ｂ）。これにより、第１ガイドローラー３１の右側にある第１凸部１４Ａが、レンズシートＬ３をＹ方向への移動を拘束したまま、搬送方向に案内できる。なお、レンズシートＬ３が右側に寄っているため、第１ガイドローラー３１の左側にある第２凸部１４Ｂは、レンズシートＬ３に接触しない。  
また、６０ｌｐｉのレンチキュラーレンズ７を有するレンズシートＬ６を搬送する場合、レンズシートＬ６を図中の左側に寄せて搬送する（図１０Ｃ）。これにより、第１ガイドローラー３１の左側にある第２凸部１４Ｂが、レンズシートＬ６をＹ方向への移動を拘束したまま、搬送方向に案内できる。なお、レンズシートＬ６が左側に寄っているため、第１ガイドローラー３１の右側にある第１凸部１４Ａは、レンズシートＬ６に接触しない。  
このように、いずれのレンズシートとも、Ｙ方向への移動を拘束したまま、搬送方向に案内できる。
【００６９】
レンズシートＬのレンズピッチに応じてレンズシートの搬送時のＹ方向の位置を変更するため、搬送機構に搬送位置切り替え機構を設けても良い。この場合、コントローラーが、レンズシートの種類に応じて搬送位置切り替え機構を制御して、レンズシートのＹ方向の位置を切り替えても良い。若しくは、レンズシートＬを給紙台３に載置する際に、給紙台上でのレンズシートＬのＹ方向の載置位置をそれぞれ変えられるように給紙台が構成されており、搬送機構は、給紙台からレンズシートＬをそのまま搬送方向に搬送するだけであっても良い。
【００７０】
＜第２形態＞
図１１Ａは、第２形態の第１ガイドローラー３１を搬送方向から見た図である。図１１Ｂは、３０ｌｐｉのレンズシートＬを搬送する様子の概略説明図である。図１１Ｃは、６０ｌｐｉのレンズシートＬを搬送する様子の概略説明図である。
【００７１】
第１ガイドローラー３１のＹ方向の一端の外側（図中の右側）には、３０ｌｐｉのレンチキュラーレンズ７の形状に合う第１凸部１４Ａが設けられている。既に説明したように、第１凸部１４Ａは、比較的山が高い。第１凸部１４Ａ同士の間隔は、３０ｌｐｉのレンチキュラーレンズ７の形状に合わせるため、１／３０インチの間隔になっている。
【００７２】
第１凸部１４Ａよりも内側（図中の左側）には、６０ｌｐｉのレンチキュラーレンズ７の形状に合う第２凸部１４Ｂが設けられている。既に説明したように、第２凸部１４Ｂは、第１凸部１４Ａよりも低い。第２凸部１４Ｂ同士の間隔は、１／６０インチの間隔ではなく、１／３０インチの間隔になっている。つまり、第２凸部１４Ｂ同士の間隔は、６０ｌｐｉのレンチキュラーレンズ７のレンズピッチよりも広い間隔になっている。なお、第２凸部１４Ｂ同士の間隔は、１／３０インチの整数倍の間隔でも良い。
【００７３】
最も右側の第２凸部１４Ｂと最も左側の第１凸部１４Ａとの間隔は、６０ｌｐｉのレンチキュラーレンズ７のレンズピッチの整数倍の間隔であり、且つ、３０ｌｐｉのレンチキュラーレンズのレンズピッチの整数倍の間隔になっている。ここでは１／３０インチの間隔だが、実際にはもっと広くて良い。
【００７４】
右側の第１凸部１４Ａの数は、左側の第２凸部１４Ｂの数よりも少なくなっている。これは、３０ｌｐｉのレンチキュラーレンズの凹部が深く、また、第１凸部１４Ａが高く形成されているため、３０ｌｐｉのレンチキュラーレンズと第１凸部１４Ａとが係合したときに、６０ｌｐｉのものと比べて、Ｙ方向の移動に対する拘束力が大きいからである。
【００７５】
３０ｌｐｉのレンチキュラーレンズ７を有するレンズシートＬ３を搬送する場合、レンズシートＬ３を図中の右側に寄せて搬送する（図１１Ｂ）。これにより、第１ガイドローラー３１の右側にある第１凸部１４Ａがレンチキュラーレンズ７に係合し、レンズシートＬ３をＹ方向への移動を拘束したまま、搬送方向に案内できる。  
なお、第２形態では、第１形態とは異なり、第２凸部１４ＢがレンズシートＬ３に接触するかもしれない。但し、第２凸部１４Ｂは、３０ｌｐｉのレンチキュラーレンズ７のレンズピッチと同じ間隔で配置されているため、レンチキュラーレンズ７のシリンドリカルレンズの山には第２凸部１４Ｂは接触しない。また、３０ｌｐｉのレンチキュラーレンズの凹部は深いので、３０ｌｐｉのレンチキュラーレンズの凹部の位置に第２凸部１４Ｂがあっても問題はない。このため、レンズシートＬ３を、Ｙ方向への移動を拘束したまま、搬送方向に案内できる。
【００７６】
６０ｌｐｉのレンチキュラーレンズ７を有するレンズシートＬ６を搬送する場合、レンズシートＬ６の右側端が第１凸部１４Ａよりも左側になるように、レンズシートＬ６を左側に寄せて搬送する（図１１Ｃ）。このため、第１ガイドローラー３１の右側にある第１凸部１４ＡがレンズシートＬ６に接触しない状態で、第２凸部１４Ｂがレンチキュラーレンズ７に係合し、レンズシートＬ６をＹ方向への移動を拘束したまま、搬送方向に案内できる。
【００７７】
なお、第２凸部１４Ｂは、１／６０インチの整数倍である１／３０インチの間隔で形成されている。このため、全ての第２凸部１４Ｂは、６０ｌｐｉのレンチキュラーレンズ７の凹部に係合することができる。
【００７８】
レンズシートＬのレンズピッチに応じてレンズシートの搬送時のＹ方向の位置を変更するため、搬送機構に搬送位置切り替え機構を設けても良い。この場合、コントローラーが、レンズシートの種類に応じて搬送位置切り替え機構を制御して、レンズシートのＹ方向の位置を切り替えても良い。若しくは、レンズシートＬを給紙台３に載置する際に、給紙台上でのレンズシートＬのＹ方向の載置位置をそれぞれ変えられるように給紙台が構成されており、搬送機構は、給紙台からレンズシートＬをそのまま搬送方向に搬送するだけであっても良い。
【００７９】
第２形態によれば、レンズシートのＹ方向の搬送位置を大きく変えなくても済む。
【００８０】
＜第３形態＞
次に説明する第３形態は、レンズシートＬのＹ方向の位置を変えずに、第１凸部１４Ａと第２凸部１４Ｂとを選択的に使用できる。
【００８１】
図１２Ａは、第３形態の第１ガイドローラー３１の説明図である。図１２Ｂは、位置決め機構付近の断面図である。なお、これらの図は説明のため簡略化されており、実際の寸法や凸部の数を示すものではない。
【００８２】
第１ガイドローラー３１は、固定シャフトと可動シャフトとを有する。可動シャフトには、第１凸部１４Ａと第２凸部１４Ｂとが形成されている。第１凸部１４Ａは、３０ｌｐｉのレンチキュラーレンズの凹部に合う形状である。既に説明したように、第１凸部１４Ａは、比較的山が高い。第１凸部１４Ａ同士の間隔は、３０ｌｐｉのレンチキュラーレンズ７の形状に合わせるため、１／３０インチの間隔になっている。第２凸部１４Ｂは、６０ｌｐｉのレンチキュラーレンズの凹部に合う形状である。第２形態と同様に、第２凸部１４Ｂ同士の間隔は、１／６０インチの間隔ではなく、１／３０インチの間隔になっている。また、第２形態と同様に、最も右側の第２凸部１４Ｂと最も左側の第１凸部１４Ａとの間隔は、６０ｌｐｉのレンチキュラーレンズ７のレンズピッチの整数倍の間隔であり、且つ、３０ｌｐｉのレンチキュラーレンズのレンズピッチの整数倍の間隔になっている。ここでは１／３０インチの間隔だが、実際にはもっと広くて良い。
【００８３】
可動シャフトには、凸部を挟んで両側に３個ずつの穴があいている。３個の穴は、それぞれ、３０ｌｐｉのレンズシートの搬送時、６０ｌｐｉのレンズシートの搬送時、及び、紙の搬送時に用いられる。これについては、後で説明する。
【００８４】
固定シャフトの所定位置には、バネで外側に向かって付勢されたピンが設けられている。ピンが可動シャフトのいずれかの穴に嵌ることによって、可動シャフトが固定シャフトに対して位置決めされて固定される。可動シャフトの穴のピンを押し下げれば、可動シャフトは固定シャフトに対してＹ方向に位置を変えることができる。可動シャフトが固定シャフトに対して固定されれば、可動シャフトと固定シャフトは、Ｙ方向を軸にして一体的に回転可能である。
【００８５】
図１２Ｃは、３０ｌｐｉのレンズシートＬを搬送する様子の概略説明図である。  
３０ｌｐｉのレンチキュラーレンズ７を有するレンズシートＬ３を搬送する場合、３個の穴のうちの右側の穴にピンが嵌った状態になり、可動シャフトが固定シャフトに対して最も左に位置決めされる。これにより、搬送されてくるレンズシートＬ３のレンチキュラーレンズに第１凸部１４Ａが係合し、レンズシートＬ３をＹ方向への移動を拘束したまま、搬送方向に案内できる。  
なお、第３形態では、第２形態と同様に、第２凸部１４Ｂが、３０ｌｐｉのレンチキュラーレンズ７のレンズピッチと同じ間隔で配置されているため、レンチキュラーレンズ７のシリンドリカルレンズの山には第２凸部１４Ｂは接触しない。また、３０ｌｐｉのレンチキュラーレンズの凹部は深いので、３０ｌｐｉのレンチキュラーレンズの凹部の位置に第２凸部１４Ｂがあっても問題はない。このため、レンズシートＬ３を、Ｙ方向への移動を拘束したまま、搬送方向に案内できる。
【００８６】
図１２Ｄは、６０ｌｐｉのレンズシートＬを搬送する様子の概略説明図である。  
６０ｌｐｉのレンチキュラーレンズ７を有するレンズシートＬ６を搬送する場合、３個の穴のうちの中央の穴にピンが嵌った状態になり、可動シャフトが図１２Ｃと比べて右側に位置決めされる。これにより、第１凸部１４ＡがレンズシートＬ６と接触しない状態で、第２凸部１４Ｂがレンチキュラーレンズ７に係合し、レンズシートＬ６をＹ方向への移動を拘束したまま、搬送方向に案内できる。  
なお、第２凸部１４Ｂは、１／６０インチの整数倍である１／３０インチの間隔で形成されている。このため、全ての第２凸部１４Ｂは、６０ｌｐｉのレンチキュラーレンズ７の凹部に係合することができる。
【００８７】
図１２Ｅは、紙を搬送する様子の概略説明図である。  
紙を搬送する場合、３個の穴のうちの最も左側の穴にピンが嵌った状態になり、可動シャフトが固定シャフトに対して最も右に位置決めされる。これにより、搬送されてくる紙に第１凸部１４Ａや第２凸部１４Ｂが接触しない。このため、紙に凸部の痕が残らずに済む。
【００８８】
第３形態によれば、第１形態や第２形態のように、記録媒体の種類に応じてＹ方向の搬送位置を変えなくても良い。
【００８９】
＝＝＝押圧ローラーの変形例＝＝＝
図５Ａでは搬送ローラー４が、レンズシートＬを第１ガイドローラー３１に押し付けるための押圧ローラーとなっていた。また、図５Ｂ等では従動ローラーがレンズシートＬを第１ガイドローラー３１に押し付けるための押圧ローラーとなっていた。以下の説明では、第１ガイドローラー３１にレンズシートＬを押し付けるローラーをまとめて「押圧ローラー」と呼ぶことがある。
【００９０】
＜配置について＞
押圧ローラーは、レンズシートＬの幅よりも長くても良いし、レンズシートＬの幅よりも短くても良い。  
押圧ローラーは、レンズシートＬの斜行防止するためにレンズシートＬを第１ガイドローラー３１に押し付けているので、少なくとも第１ガイドローラー３１の凸部１４の形成された位置に対向して設けられていればよい。
【００９１】
＜表面形状について＞
前述の押圧ローラーの表面に凹凸を形成しても良い。  
図１３Ａは、押圧ローラーの表面に凸部を設けた変形例の説明図である。押圧ローラーの凸部４４は、第１ガイドローラー３１の凸部１４と対向する位置に設けられている。このため、押圧ローラーの凸部４４の間隔は、レンズピッチｐと同じ間隔、若しくは、その整数倍である。押圧ローラーの凸部４４が第１ガイドローラー３１の凸部１４と対向する位置にあるため、レンズシートＬの山が第１ガイドローラー３１の谷に向かって強く押され、斜行が修正されやすくなる。
【００９２】
図１３Ｂは、押圧ローラーの表面に凸部を設けた別の変形例の説明図である。図１３Ｂの押圧ローラーの凸部４４は、第１ガイドローラー３１の凸部１４の間と対向する位置に設けられている。レンズシートＬの斜行の修正は、レンズシートＬの山が第１ガイドローラー３１の谷に入り込むことが契機になるので、押圧ローラーの凸部４４の位置は、図１３Ａよりも図１３Ｂの方が有利である。
【００９３】
なお、押圧ローラーに凸部４４を設ける場合には、押圧ローラーの凸部４４が変形しやすいようにゴムなどの弾性材を用いると良い。
【００９４】
＝＝＝第１ガイドローラーの位置調整＝＝＝
第１ガイドローラー３１は、上から見たときの凸部１４の方向が搬送方向に沿うように調整して記録装置１００に取り付ける必要がある。ここでは、第１ガイドローラー３１の取り付け時の調整方法について説明する。
【００９５】
図１４は、検査用画像の説明図である。  
検査用画像ＣＭは、複数本のラインＬｎを有する画像である。複数のラインＬｎの中心のラインＬＡは、画像データ上では搬送方向に沿ったラインになっている。検査用画像ＣＭのラインＬＡの左右にあるラインＬｎは、一定角度ずつ順に傾斜を累積させたラインになっている。例えば、ラインＬＡよりも右側のラインＬｎは、画像データ上において搬送方向に向かって時計回りに０．０１度刻みで順に傾斜角を増すように設定されている。また、ラインＬＡよりも左側のラインＬｎは、画像データ上において搬送方向に向かって反時計回りに０．０１度刻みで順に傾斜角を増すように設定されている。
【００９６】
第１ガイドローラー３１が記録装置１００に取り付けられた後、上から見たときの第１ガイドローラー３１の凸部１４が搬送方向に沿っているかどうかを検査するため、記録装置１００は、検査用画像ＣＭをレンズシートＬに記録する。もし記録装置１００が理想的に組み立てられていれば、ラインＬＡは搬送方向に一致してレンズシートＬ上に記録される。すなわち、記録装置１００が理想的に組み立てられていれば、ラインＬＡは、レンズシートＬの母線方向に沿って記録されているはずである。記録装置１００が検査用画像をレンズシートＬに記録した後、検査者は、レンチキュラーレンズ７の側から検査用画像を検査する。
【００９７】
図１５は、レンチキュラーレンズの側から見た検査用画像の説明図である。複数本のラインＬｎのうち、レンチキュラーレンズ７の母線方向と一致して記録されたラインＬｎは、連続した１本のラインとして視認することができる。他方、レンチキュラーレンズ７の母線方向に沿って記録されていないラインＬｎは、複数のシリンドリカルレンズ１３にまたがって記録されるため、例えば、ラインＬＣ等のように不連続で分断されたラインになる。もし記録装置１００が理想的に組み立てられていれば、ラインＬＡが１本のラインとして視認されるはずである。他方、上から見たときの第１ガイドローラー３１の凸部１４が搬送方向に対して傾斜していれば、ラインＬＡは分断されたラインとして視認され、その傾斜角度に相当する別のラインＬＢが１本のラインとして視認される。
【００９８】
そこで、検査者は、１本に視認できるラインを特定し、そのラインに相当する角度の分だけ第１ガイドローラー３１の取付角度を調整する。例えば、この場合、現在の第１ガイドローラー３１の取付角度に対して、０．０３度だけ傾斜するように第１ガイドローラー３１の取付角度を調整する。これにより、上から見たときの第１ガイドローラー３１の凸部１４が搬送方向に沿うように第１ガイドローラー３１が記録装置１００に取り付けられる。
【００９９】
なお、上記の説明では、検査者がレンズシートＬに記録された検査用画像を視認していたが、これに限られるものではない。例えば、スキャナがレンズシートＬに記録された検査用画像を読み取り、読み取り結果に基づいて、第１ガイドローラー３１の取付角度を決定しても良い。
【０１００】
＝＝＝別の実施形態＝＝＝
前述の実施形態では、第１ガイドローラー３１に凸部１４が形成されており、第１ガイドローラーによって、レンズシートＬが案内されていた。しかし、次に説明するように、レンズシートＬを案内する部材は、ローラー形状していなくても良い。
【０１０１】
図１６は、別の実施形態の記録装置を後方から見た斜視図である。  
給紙台３には、レンズシートＬのＹ方向の載置位置を設定するため、第１側端押さえ部５１Ａと、第２側端押さえ部５１Ｂとが設けられている。第１側端押さえ部と第２側端押さえ部は、それぞれ独立してＹ方向に移動可能である。レンズシートＬのＹ方向の幅が予め決まっているのであれば、第１側端押さえ部５１Ａと第２側端押さえ部５１Ｂとの間隔を固定したまま、一緒にＹ方向に移動可能にしても良い。
【０１０２】
給紙台３の搬送方向下流側の端部には、第１凸部５４Ａと、第２凸部５４Ｂとが設けられている。第１凸部５４Ａは、第１側端押さえ部５１Ａの側に設けられており、第２凸部５４Ｂは、第２側端押さえ部５１Ｂの側に設けられている。言い換えると、第１凸部５４Ａは、給紙台３のＹ方向の一方側に設けられており、第２凸部５４Ｂは、給紙台３のＹ方向の他方側に設けられている。第１凸部５４Ａ及び第２凸部５４Ｂが給紙台３に設けられることによって、給紙台３は、レンズシートＬを搬送方向に案内するガイドとして機能する。
【０１０３】
第１凸部５４Ａは、３０ｌｐｉのレンチキュラーレンズ７の形状に合うような凸部になっている。また、第１凸部５４Ａの間隔は、３０ｌｐｉのレンズピッチと同じ間隔又はその整数倍の間隔である。  
第２凸部５４Ｂは、６０ｌｐｉのレンチキュラーレンズ７の形状に合うような凸部になっている。また、第２凸部５４Ｂの間隔は、６０ｌｐｉのレンズピッチと同じ間隔又はその整数倍の間隔である。  
３０ｌｐｉのレンチキュラーレンズのシリンドリカルレンズ間の凹部は、６０ｌｐｉのレンチキュラーレンズのシリンドリカルレンズ間の凹部よりも深い。このため、第１凸部５４Ａは、第２凸部５４Ｂよりも高い山になっている。なお、３０ｌｐｉのレンチキュラーレンズと第１凸部５４Ａとが係合したときに、６０ｌｐｉのものと比べて、Ｙ方向の移動に対する拘束力が大きいので、第１凸部５４Ａの数は、第２凸部５４Ｂの数よりも少なくしても良い。
【０１０４】
図１７Ａは、３０ｌｐｉのレンズシートＬ３を搬送する様子を上から見た図である。３０ｌｐｉのレンチキュラーレンズ７を有するレンズシートＬ３を搬送する場合、レンズシートＬ３を図中の左側に寄せて搬送する。これにより、給紙台３の左側にある第１凸部５４Ａが、レンズシートＬ３をＹ方向への移動を拘束したまま、搬送方向に案内できる。なお、レンズシートＬ３が左側に寄っているため、給紙台３の右側にある第２凸部５４Ｂは、レンズシートＬ３に接触しない。  
図１７Ｂは、６０ｌｐｉのレンズシートＬ６を搬送する様子を上から見た図である。６０ｌｐｉのレンチキュラーレンズ７を有するレンズシートＬ６を搬送する場合、レンズシートＬ３を図中の右側に寄せて搬送する。これにより、給紙台３の右側にある第２凸部５４Ｂが、レンズシートＬ６をＹ方向への移動を拘束したまま、搬送方向に案内できる。なお、レンズシートＬ６が右側に寄っているため、給紙台３の左側にある第１凸部５４Ａは、レンズシートＬ６に接触しない。
【０１０５】
このように、いずれのレンズシートとも、Ｙ方向への移動を拘束したまま、搬送方向に案内できる。
【０１０６】
レンズシートＬのレンズピッチに応じてレンズシートの搬送時のＹ方向の位置を変更するため、第１側端押さえ部５１Ａ及び第２側端押さえ部５１Ｂを自動的に移動させる押さえ部移動機構を設けても良い。この場合、コントローラーが、レンズシートの種類に応じて押さえ部移動機構を制御して、第１側端押さえ部５１Ａ及び第２側端押さえ部５１Ｂの位置を設定すると良い。
【０１０７】
＜第１変形例＞
図１８Ａは、第１変形例の給紙台３を搬送方向下流側から見た図である。図１８Ｂは、３０ｌｐｉのレンズシートＬを搬送する様子の概略説明図である。図１８Ｃは、６０ｌｐｉのレンズシートＬを搬送する様子の概略説明図である。なお、説明を容易にするため、図面は簡略化されている。
【０１０８】
給紙台３のＹ方向の一端の外側には、３０ｌｐｉのレンチキュラーレンズ７の形状に合う第１凸部５４Ａが設けられている。既に説明したように、第１凸部５４Ａは、比較的山が高い。第１凸部５４Ａ同士の間隔は、３０ｌｐｉのレンチキュラーレンズ７の形状に合わせるため、１／３０インチの間隔になっている。
【０１０９】
第１凸部５４Ａよりも内側（図中の左側）には、６０ｌｐｉのレンチキュラーレンズ７の形状に合う第２凸部５４Ｂが設けられている。既に説明したように、第２凸部５４Ｂは、第１凸部５４Ａよりも低い。第２凸部５４Ｂ同士の間隔は、１／６０インチの間隔ではなく、１／３０インチの間隔になっている。つまり、第２凸部５４Ｂ同士の間隔は、６０ｌｐｉのレンチキュラーレンズ７のレンズピッチよりも広い間隔になっている。なお、第２凸部５４Ｂ同士の間隔は、１／３０インチの整数倍の間隔でも良い。
【０１１０】
最も右側の第２凸部５４Ｂと最も左側の第１凸部５４Ａとの間隔は、６０ｌｐｉのレンチキュラーレンズ７のレンズピッチの整数倍の間隔であり、且つ、３０ｌｐｉのレンチキュラーレンズのレンズピッチの整数倍の間隔になっている。ここでは１／３０インチの間隔だが、実際にはもっと広くて良い。
【０１１１】
３０ｌｐｉのレンチキュラーレンズ７を有するレンズシートＬ３を搬送する場合、レンズシートＬ３を図中の右側に寄せて搬送する（図１８Ｂ）。これにより、給紙台３の右側にある第１凸部５４Ａがレンチキュラーレンズ７に係合し、レンズシートＬ３をＹ方向への移動を拘束したまま、搬送方向に案内できる。  
なお、第１変形例では、第２凸部５４ＢがレンズシートＬ３に接触するかもしれない。但し、第２凸部５４Ｂは、３０ｌｐｉのレンチキュラーレンズ７のレンズピッチと同じ間隔で配置されているため、レンチキュラーレンズ７のシリンドリカルレンズの山には第２凸部５４Ｂは接触しない。また、３０ｌｐｉのレンチキュラーレンズの凹部は深いので、３０ｌｐｉのレンチキュラーレンズの凹部の位置に第２凸部５４Ｂがあっても問題はない。このため、レンズシートＬ３を、Ｙ方向への移動を拘束したまま、搬送方向に案内できる。
【０１１２】
６０ｌｐｉのレンチキュラーレンズ７を有するレンズシートＬ６を搬送する場合、レンズシートＬ６の右側端が第１凸部５４Ａよりも左側になるように、レンズシートＬ６を左側に寄せて搬送する（図１８Ｃ）。このため、給紙台３の右側にある第１凸部５４ＡがレンズシートＬ６に接触しない状態で、第２凸部５４Ｂがレンチキュラーレンズ７に係合し、レンズシートＬ６をＹ方向への移動を拘束したまま、搬送方向に案内できる。
【０１１３】
なお、第２凸部５４Ｂは、１／６０インチの整数倍である１／３０インチの間隔で形成されている。このため、全ての第２凸部５４Ｂは、６０ｌｐｉのレンチキュラーレンズ７の凹部に係合することができる。
【０１１４】
第２形態によれば、レンズシートのＹ方向の搬送位置を大きく変えなくても済む。
【０１１５】
＜第２変形例＞
前述の形態では、レンズシートの種類に応じてレンズシートＬのＹ方向の位置を変えることによって、第１凸部５４Ａと第２凸部とを選択していた。これに対し、レンズシートＬのＹ方向の位置を変えるのではなく、給紙台３のＹ方向の位置を変えることによって、第１凸部５４Ａと第２凸部とを選択しても良い。  
このようにしても、異なるレンズピッチのレンズシートをＹ方向への移動を拘束したまま、搬送方向に案内できる。
【０１１６】
＜押圧力による斜行防止＞
レンズシートＬが給紙台３に対して斜めに載置されることがある。すなわち、記録装置１００の搬送方向（Ｘ方向）と、レンズシートＬのレンズの母線方向（ｘ方向）とが一致しない状態で、レンズシートＬが給紙台３に載置されることがある。但し、このような場合においても、レンズシートＬを第１凸部５４Ａ（又は第２凸部５４Ｂ）に押し付けながら搬送することによって、レンズシートＬが斜行されて搬送されることを防止できる。
【０１１７】
２枚のレンズシートを用意し、最初は２枚のレンズシートの母線方向を交差させた状態（レンズ同士の山が噛み合っていない状態）でレンズ面同士を対向させて重ね合わせ、その状態で２枚のレンズシートを滑らせると（擦り合わせると）、２枚のレンズシートの母線方向が一致して、レンズ同士の山が噛み合う状態になる。本実施形態の記録装置１００がレンズシートＬを第１凸部５４Ａに押付けながら搬送することによって斜行防止できるのは、この現象を利用したものである。
【０１１８】
図１９Ａは、レンズシートが給紙台３に対して斜めに載置された様子を上から見た図である。図１９Ｂは、図１９ＡのＡ−Ａ断面図である。図１９Ｃは、図１９ＡのＢ−Ｂ断面図である。図１９Ａでは、給紙台３の第１凸部５４Ａやレンズの山の位置を点線で示し、第１凸部５４Ａ間の谷やレンズの谷の位置を実線で示し、給紙台３の第１凸部５４Ａを太線で示し、レンズを細線で示している。また、説明の簡略化のため、山や谷の数を少なくしている。
【０１１９】
図１９ＡのようにレンズシートＬが給紙台３に対して斜めに載置されると、図１９ＢのようにレンズシートＬと第１凸部５４Ａの山同士が接触する所がある。したがって、レンズシートＬと給紙台３との間隔が広くなっている。このため、図１９Ｃに示すように、レンズシートＬの山が第１凸部５４Ａから離れる部分が生じる。図１９Ｃの状態のＢ−Ｂ断面の位置に押圧力が作用すると、レンズシートＬの山が第１凸部５４Ａ間の谷に入り込んで接触するようにレンズシートＬが撓む。この結果、Ｂ−Ｂ断面の位置に押圧力が作用すると、Ｂ−Ｂ断面の位置では、レンズシートＬの左右方向（Ｙ方向）の移動が制限される。  
その状態からレンズシートＬが搬送方向に搬送されると、押圧力の作用する位置がＢ−Ｂ断面の位置からずれる。この結果、Ｂ−Ｂ断面からずれた位置においても、レンズシートＬの山が第１凸部５４Ａ間の谷に入り込む。このとき、Ｂ−Ｂ断面の位置でレンズシートＬの山が第１凸部５４Ａ間の谷に入り込んだ状態が維持されたまま、Ｂ−Ｂ断面からずれた位置でもレンズシートＬの山が第１凸部５４Ａ間の谷に入り込んだ状態になろうとするため、Ａ−Ａ断面のようにレンズシートＬの山が第１凸部５４Ａの山と接触している位置（図１９Ａ、図１９Ｂ参照）では、レンズシートＬの山が凸部５４Ａの曲面に沿って滑る（この場合、レンズシートＬの山が右方向に滑る）。これにより、斜行が解消される方向（図１９Ａの反時計回り）にレンズシートＬが回転し、斜行が修正される（レンズシートＬの母線方向と第１凸部５４Ａの母線方向が一致する）。
【０１２０】
斜行が修正され、レンズシートＬの山と第１凸部５４Ａの山とが一旦噛み合うと、もはやレンズシートＬが回転する動きは拘束され、また、レンズシートＬに対して回転方向に作用する力も生じない。また、レンズシートＬの山と第１凸部５４Ａの山とが噛み合った状態でレンズシートＬが押圧力を受けると、レンズシートＬと第１凸部５４Ａとの間に隙間が空かなくなり、第１凸部５４Ａに対するレンズシートＬの動きはＸ方向だけに限定されるので、継続的に斜行が防止される。
【０１２１】
本実施形態では、給紙ローラー２４がバネ要素（図５Ａのバネ要素２４Ａ）によってレンズシートＬを給紙台３に押し付けながら搬送している。これにより、レンズシートＬの斜行が防止され、Ｘ方向（記録装置１００の搬送方向）とｘ方向（レンズシートＬのレンズの母線方向）が一致する。
【０１２２】
＝＝＝給紙の変形例＝＝＝
前述の実施形態では、レンズシートＬが記録装置１００の背面側から供給されていた。しかし、これに限られるものではない。  
例えば、ＡＳＦ（オート・シート・フィーダー）を備えた記録装置では、記録装置１００の上側からレンズシートＬを供給しても良い。また、記録装置の前面から開閉可能な給紙カセットを備えた記録装置では、記録装置の下側からレンズシートＬを供給しても良い。  
いずれの場合においても、ヘッド６がレンズシートＬに記録を行う前に、レンズシートＬが第１ガイドローラー３１で案内されながら搬送されているので、レンズシートＬを精度良く搬送方向に搬送できる。
【０１２３】
＝＝＝その他の実施の形態＝＝＝
一実施形態としてヘッドを用いた記録装置を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【０１２４】
２  筐体、３  供給台、４  搬送ローラー、４Ａ  バネ要素、
５  排紙ローラー、６  ヘッド、７  レンチキュラーレンズ、
８  画像形成層、８Ａ  インク透過層、８Ｂ  インク吸収層、
９  給紙開口部、１０  排紙開口部、１１  主軸、
１２  係合部、１３  シリンドリカルレンズ、
１４  凸部、１４Ａ  第１凸部、１４Ｂ  第２凸部、
１６  搬送用モーター、１７  排紙用モーター、１８  キャリッジ、
１９  キャリッジガイド、２０  キャリッジ用モーター、
２１  タイミングベルト、２３  プラテン、２４  給紙ローラー、
３１  ガイドローラー、３１Ａ  固定シャフト、３１Ｂ  可動シャフト、
３４  突起、４４  凸部、
５１Ａ  第１側端押さえ部、５１Ｂ  第２側端押さえ部、
５４Ａ  第１凸部、５４Ｂ  第２凸部、
１００  記録装置、１１０  コンピューター、
ＣＭ  検査用画像、Ｌｎ  ライン、
Ｌ  レンズシート、Ｓ  紙
【図１】
2010228825.tif 000003
【図２】
2010228825.tif 000004
【図３】
2010228825.tif 000005
【図４】
2010228825.tif 000006
【図５】
2010228825.tif 000007
【図６】
2010228825.tif 000008
【図７】
2010228825.tif 000009
【図８】
2010228825.tif 000010
【図９】
2010228825.tif 000011
【図１０】
2010228825.tif 000012
【図１１】
2010228825.tif 000013
【図１２】
2010228825.tif 000014
【図１３】
2010228825.tif 000015
【図１４】
2010228825.tif 000016
【図１５】
2010228825.tif 000017
【図１６】
2010228825.tif 000018
【図１７】
2010228825.tif 000019
【図１８】
2010228825.tif 000020
【図１９】
2010228825.tif 000021